(57)【特許請求の範囲】
【請求項１】
開口を乗員室内側へ臨ませた状態で乗物に固定されたケースと、
該ケース内にケース奥の格納位置からケース開口側の使用位置まで引き出し自在に設けられ且つ容器の底面を支持するトレイと、
トレイの上面に設置され、付勢手段により引出方向側の端部が持ち上げ自在に支持されたベースと、
アームの先端に容器の側面を支持するリング部が形成され且つ該アームの基端がベースの引出方向側に左右に回動自在に軸支され、格納位置では、ケース内でリング部同士が上下重合状態となり、使用位置では、付勢手段によりリング部がケース外で左右へ互いに開いた状態となる左右一対のホルダを備えた乗物用カップホルダ装置であって、
前記ベースの上面と前記ホルダの上面とが略同一面状に形成されていることを特徴とする乗物用カップホルダ装置。
【請求項２】
請求項１記載の乗物用カップホルダ装置であって、
前記ベースを持ち上げる付勢手段と、前記ホルダを左右へ開く付勢手段とが、ベース内に収納されていることを特徴とする乗物用カップホルダ装置。
【請求項３】
請求項１又は請求項２記載の乗物用カップホルダ装置であって、
格納位置における各リング部は、互いに重合した重合部と、重合していない一般部とを有し、
各リング部の重合部の上下寸法が、一般部よりも小さくなっていることを特徴とする乗物用カップホルダ装置。
【請求項４】
請求項３記載の乗物用カップホルダ装置であって、
各リング部の互いに重合する重合部の上下寸法が、一般部の略半分であることを特徴とする乗物用カップホルダ装置。
【請求項５】
請求項１〜４のいずれか１項に記載の乗物用カップホルダ装置であって、
リング部の一般部に、該一般部に沿った湾曲状態で取付けられると共に内側へ湾曲して反転状態となるスプリング板が取付けられていることを特徴とする乗物用カップホルダ装置。
【請求項６】
請求項１〜５のいずれか１項に記載の乗物用カップホルダ装置であって、
前記トレイにベースよりも上側へ突出するロック爪を上向き状態で形成すると共に、ケースの上面部の開口付近にトレイの引出方向側及び格納方向側に各々傾斜面を有する下向きの凸部を形成し且つ該凸部の下端に使用位置まで引き出されたトレイのロック爪と係合するロック孔を形成してなることを特徴とする乗物用カップホルダ装置。
【請求項７】
請求項１〜６のいずれか１項に記載の乗物用カップホルダ装置であって、
トレイの下面に下向きの係合部を形成すると共に、ケースの下面部に格納位置まで押し込まれたトレイの係合部と係合する被係合部を形成してなることを特徴とする乗物用カップホルダ装置。
【発明の詳細な説明】
【０００１】
【発明の属する技術分野】
この発明は、乗物用カップホルダ装置に関する。
【０００２】
【従来の技術】
従来の乗物用カップホルダ装置としては、例えば、自動車の左右フロントシートの間に設置されたコンソールボックスの後面部に、後席乗員用として、後側へ引き出し自在に取付けられたものがある。具体的には、コンソールボックスの後面部内に、開口を後側に臨ませた状態のケースを固定し、該ケース内に、ケース奥の格納位置からケース開口側の使用位置まで引き出し自在なトレイを設け、該トレイに左右一対のホルダを設けた構造になっている。このホルダは、アームの先端に容器の側面を支持するリング部が形成された形状で、アームの基端は、トレイの上部に左右回動自在に支持されている。従って、ケース内の格納位置では、コンパクトに収納するために両方のリング部同士が上下で重合した状態となり、ケース外の使用位置では、付勢手段によりリング部が左右へ開いた状態となる。従って、缶、瓶、コップなどの容器を、リング部内に上から入れれば、該リング部により容器の側面が支持され、底面がトレイにより支持されるため、２本の容器を同時に保持できる。また、リング部により容器の側面のなるべく高い位置を保持するために、ホルダのアームを上向き回動可能なベースに軸支し、トレイをケースから引き出した際に、ホルダのリング部をベースごと斜めに持ち上げた状態にすることが考えられる（類似技術として、特開平６ー１１５３９２号公報参照）。
【０００３】
【発明が解決しようとする課題】
しかしながら、このような構造にした場合、ホルダとベースとが、ケース内で引出方向及び格納方向へ移動するため、ホルダとベースとの間の段差部が、ケース内の一部に引っ掛かり、ホルダ及びベースのケース内における円滑な移動性能が阻害されるおそれがある。
【０００４】
この発明は、このような従来の技術に着目してなされたものであり、ホルダをベースごと斜めに持ち上げ自在な構造にしても、ホルダ及びベースがケース内で良好に移動することができる乗物用カップホルダ装置を提供するものである。
【０００５】
【課題を解決するための手段】
請求項１記載の発明は、開口を乗員室内側へ臨ませた状態で乗物に固定されたケースと、該ケース内にケース奥の格納位置からケース開口側の使用位置まで引き出し自在に設けられ且つ容器の底面を支持するトレイと、トレイの上面に設置され、付勢手段により引出方向側の端部が持ち上げ自在に支持されたベースと、アームの先端に容器の側面を支持するリング部が形成され且つ該アームの基端がベースの引出方向側に左右に回動自在に軸支され、格納位置では、ケース内でリング部同士が上下重合状態となり、使用位置では、付勢手段によりリング部がケース外で左右へ互いに開いた状態となる左右一対のホルダを備えた乗物用カップホルダ装置であって、前記ベースの上面とホルダの上面とが略同一面状に形成されていることを特徴とする。
【０００６】
ここで、「乗物」とは、自動車、鉄道車両、船舶、飛行機その他でも良い。そして、「乗物に固定された」とは、乗物自体（自動車であれば車体）に固定される場合と、乗物に組付けられている装備品（自動車であればコンソールボックス、インストルメントパネル、シートなど）に固定される場合の、両方を意味している。更に、「容器」とは、缶、瓶、コップ、その他の容器を含む、広概念を意味している。
【０００７】
請求項２記載の発明は、ベースを持ち上げる付勢手段と、ホルダを左右へ開く付勢手段とが、ベース内に収納されていることを特徴とする。
【０００８】
請求項３記載の発明は、格納位置における各リング部は、互いに重合した重合部と、重合していない一般部とを有し、各リング部の重合部の上下寸法が、一般部よりも小さくなっていることを特徴とする。
【０００９】
請求項４記載の発明は、各リング部の互いに重合する重合部の上下寸法が一般部の略半分であることを特徴とする。
【００１０】
請求項５記載の発明は、リング部の一般部に、該一般部に沿った湾曲状態で取付けられると共に内側へ湾曲して反転状態となるスプリング板が取付けられていることを特徴とする。
【００１１】
請求項６記載の発明は、トレイにベースよりも上側へ突出するロック爪を上向き状態で形成すると共に、ケースの上面部の開口付近にトレイの引出方向側及び格納方向側に各々傾斜面を有する下向きの凸部を形成し且つ該凸部の下端に使用位置まで引き出されたトレイのロック爪と係合するロック孔を形成してなることを特徴とする。
【００１２】
請求項７記載の発明は、トレイの下面に下向きの係合部を形成すると共に、ケースの下面部に格納位置まで押し込まれたトレイの係合部と係合する被係合部を形成してなることを特徴とする。
【００１３】
【発明の効果】
請求項１記載の発明によれば、ベースの上面とホルダの上面とが略同一面状に形成されているため、ベース及びホルダのケース内における引っ掛かりが防止され、ベース及びホルダをケース内において格納方向及び引出方向へ確実に移動させることができる。
【００１４】
請求項２記載の発明によれば、ベースを持ち上げる付勢手段と、ホルダを左右へ開く付勢手段が、ベース内に収納されているため、これらが外部に露呈せず、見映えが良い。
【００１５】
請求項３記載の発明によれば、各リング部の互いに重合する重合部の上下寸法が一般部よりも小さくなっているため、両方のリング部同士を上下重合状態にした際に、その上下寸法が２つのリング部の上下寸法を足した分よりも小さくなり、ケース内におけるベース及びホルダの円滑な移動性能が更に向上する。また、上下重合状態にしたリング部の上下寸法が小さくなれば、ホルダ等を収納するケースの上下寸法も小さくなり、利用できるスペースが限られる乗物への設置に好適である。
【００１６】
請求項４記載の発明によれば、各リング部の互いに重合する重合部の上下寸法が一般部の略半分であるため、両方のリング部同士を上下重合状態にした際に、一方の重合部と他方の一般部とが同一面となり、ケース内におけるベース及びホルダの円滑な移動性能が更に向上する。
【００１７】
請求項５記載の発明によれば、リング部の一般部に内側へ湾曲して反転状態となるスプリング板が設けられているため、リング部の内径よりも小径の容器も確実に保持できる。
【００１８】
請求項６記載の発明によれば、ロック爪とロック孔の係合により、トレイの使用位置まで引き出された状態が前記ロック爪とロック孔との係合力より維持される。また、ロック孔が立体的な下向き凸部の下端に形成されているため、ロック孔周辺の剛性が高くなり、該ロック孔とロック爪の係合力が向上する。更に、凸部の移動方向前後位置に傾斜面が形成されているため、引出方向側の傾斜面がガイド面となって、トレイを最初にケースの開口へ挿入する際の作業が容易になり、格納方向の傾斜面がガイド面となって、トレイを引き出す際におけるロック爪のロック孔への係合が確実になる。
【００１９】
請求項７記載の発明によれば、トレイの下面に形成された係合部と、ケースの下面部に形成された被係合部との係合により、トレイの格納位置まで押し込まれた状態が前記係合部と被係合部との係合力より維持される。
【００２０】
【発明の実施の形態】
以下、この発明の好適な実施例を図１〜図１０に基づいて説明する。尚、以下の説明では、図１中の、Ａを「前側」、Ｂを「後側」として説明する。
【００２１】
符号１はケースで、図示していないが、自動車における左右のフロントシートの間に設置されたコンソールボックの後面部に、後席乗員用として設けられている。このケース１は、概略角筒形状をしており、後端に乗員室内側に臨まされた開口２を有すると共に、上下に上面部３及び下面部４を備え、左右両側に側面部５を備えている。側面部５の内面側には、２本のリブにより形成されたガイド溝６が前後方向に沿ってそれぞれ形成されている。
【００２２】
上面部３の後側中央には、下向きの凸部７が形成されている。この凸部７の前後には、各々傾斜面７ａ、７ｂが形成されており、該凸部７の下端には、ロック孔８が形成されている。上面部３における凸部７よりも前側領域９は、ｄだけ一段低く形成されており（図７）、この前側領域９の中央部には、前後方向に沿う切除部１０が形成されている。ケース１の下面部４は、前側へ向けて前記上向きに傾斜した状態となっており、その中央部には、「被係合部」としての弾性爪１１が上向き状態で形成されている。
【００２３】
符号１２は、トレイで、前記ケース１内に、ケース１の奥の格納位置から、ケース１の開口２側の使用位置まで引き出し自在に設けられている。このトレイ１２の前側には、左右両側にフランジ１３が立設され、該フランジ１３の外面に前後方向に沿うガイドリブ１４が形成されている。このガイドリブ１４を、前記ケース１のガイド溝６内へ挿入することにより、トレイ１２がケース１内に対して移動自在に支持されている。トレイ１２の後端には、格納位置でケース１の開口２を塞ぐためのリッド１５が設けられている。また、トレイ１２の前側部分には、左右両側に、保持する容器の底面を支持する概略半円状の凹部１６が各々形成されている。
【００２４】
トレイ１２の前端部には、後述するベース１７よりも上方へ突出するロック爪１８が形成されている。このロック爪１８は、前記ケース１の上面部３に形成されたロック孔８に係合して、ケース１を後側へ引き出した使用位置を維持するためのものである。特に、この実施形態では、ロック孔８が立体的な下向き凸部７の下端に形成されているため、ロック孔８周辺の剛性が高く、該ロック孔８とロック爪１８の係合力が向上する。
【００２５】
更に、凸部７の前後に傾斜面７ａ、７ｂが形成されているため、ケース１にトレイ１２を組み付ける時、トレイ１２をケース１の開口２内へ挿入する際には、後側の傾斜面７ｂがガイド面となって、トレイ１２を開口２へ挿入する際の作業が容易になる。また、凸部７の前側の傾斜面７ａがガイド面となって、トレイ１２を使用位置へ引き出す際におけるロック爪１８のロック孔８への係合が確実になる。
【００２６】
また、トレイ１２の下面には、「係合部」としての突片１９が下向きに形成されている。突片１９は、前記ケース１の下面部４に形成された弾性爪１１に係合して、ケース１を前側へ押し込んだ格納位置を維持するためのものである。
【００２７】
トレイ１２の左右のフランジ１３の間に設けられているのが、ベース１７で、後端に開口を備えた概略角筒形状をしている。このベース１７は、前端がヒンジ２０によりフランジ１３に対して軸支されている。また、ベース１７の内部前端には、「付勢手段」としてのスプリング２１が内蔵されている。このスプリング２１の一端は、図示せぬ切欠からベース１７外へ出て、トレイ１２の上面に当接しており、他方は、ベース１７の上面部に下側から当接している。従って、トレイ１２の使用状態ではスプリング２１により、ベース１７は、ヒンジ２０を中心に後側を上側へ持ち上げた傾斜状態となる。ベース１７の前端には、トレイ１２の上面に当接して、ベース１７の上向き角度を一定に保持する左右一対のストッパ２２が形成されている。
【００２８】
そして、符号２３は、ホルダで、アーム２４の前端に容器の側面を支持するリング部２５が形成された形状で、左右に一対設けられている。このホルダ２３のアーム２４は、前記ベース１７の開口内に挿入された状態で、各々ヒンジ２６を中心にベース１７に対して左右へ回動自在に支持されている。このホルダ２３のリング部２５は、トレイ１２がケース１の格納位置に押し込まれた際に、それらの一部が互いに上下方向で重合した状態となり、ケース１の左右方向での寸法をコンパクト化している。トレイ１２を使用位置まで引き出すと、ケース１内の左右アーム２４間に内蔵された「付勢手段」としてのスプリング２７により、ホルダ２３は互いに左右方向へ開いた状態となる。従って、このリング部２５内に容器Ｃ１、Ｃ２を上から入れることにより、リング部２５でこれらの容器Ｃ１、Ｃ２の側面を支持し、トレイ１２の凹部１６で容器Ｃ１、Ｃ２の底面を支持することができる。
【００２９】
特に、この実施形態では、トレイ１２をケース１から引き出すことにより、ホルダ２３がベース１７ごと上向き傾斜状態となるため、容器Ｃ１、Ｃ２の側面におけるこのホルダ２３で支持される位置が高くなり、容器Ｃ１、Ｃ２の保持がより確実になる。尚、ホルダ２３を左右に開くスプリング２７、及び、ベース１７を上向きに状態状態にするスプリング２１は、各々ベース１７内に内蔵された状態で、外部に露呈しないため、見映えの点でも優れている。
【００３０】
左右のリング部２５における互いに重合する重合部２８の上下寸法ｈは、その他の一般部２９の上下寸法Ｈのちょうど半分にされている。また、一方のリング部２５の重合部２８は、リング部２５の上下方向の上半分のみしかなく、他のリング部２５の重合部２８は、リング部２５の上下方向の下半分のみしかない。従って、両方のリング部２５同士を上下重合状態にしても、その上下寸法は、２つのリング部２５（一般部２９）の上下寸法を足した分よりも小さくなる。そのため、ホルダ２３等を収納するケース１の上下寸法も小さくでき、利用できるスペースが限られる自動車への設置に好適である。
【００３１】
また、ベース１７の上面と、リング部２５の上面とは、略同一面状に形成されている（図７参照）。従って、ベース１７及びホルダ２３のケース１内での引っ掛かりが防止され、ベース１７及びホルダ２３をケース１内において前後へ確実に移動させることができる。特に、この実施形態では、リング部２５の互いに重合する重合部２８の上下寸法ｈが一般部２９の半分であるため、両方のリング部２５同士を上下重合状態にした際に、両ホルダ２３の上下寸法が一方の一般部２９と同じ程度に低くなり、且つ、一方の重合部２８と他方の一般部２９の上面同士が同一面となるため、この点においても、ケース１内で引っ掛かりが防止される。
【００３２】
更に、リング部２５における一般部２９には、スプリング板３０が設けられている。このスプリング板３０は、合成樹脂製で、両端部に下向きのピン３１が形成されている。一般部２９におけるスプリング板３０に対応する部分には、上端から所定長さの切欠部３２が形成されており、該切欠部３２における底面の両端部に、前記スプリング板３０の両端のピン３１を挿入するための孔３３が各々形成されている。スプリング板３０の両端のピン３１を切欠部３２の両端の孔３３に挿入することにより、スプリング板３０は、一般部２９に沿った湾曲状態となり、リング部２５の内面の一部を形成する。そして、他の内面と共に、リング部２５に相応する太い径の容器Ｃ１の側面を支持する（図６参照）。このスプリング板３０は、切欠部３２から指で内側へ押すことにより、内側へ湾曲して反転状態となり、細い容器Ｃ２の側面を支持することもできる。
【００３３】
そして、このリング部２５には、スプリング板３０の両端部を外側から当接支持する壁部３４が一体的に形成されている。この壁部３４によりスプリング板３０の端部が外側から支えられるため、スプリング板３０による太い容器Ｃ１の保持強度が高まると共に、この壁部３４を、スプリング板３０をリング部２５に取付ける際のガイドとして利用することができる。また、孔３３の近くに壁部３４を形成したことにより、孔３３の周りが壁部３４により補強され、孔３３を形成したことによるリング部２５の強度低下が防止される。
【００３４】
そして、リング部２５の切欠部３２における底面の両端部には、リング部２５の半径方向に沿う微小高さｅ（図１０参照）のリブ３５が各々形成されている。このリブ３４の内側角部には、面取り部３５ａが形成されており、外側端部は、前記壁部３４に連結されている。リブ３５の外側端部を壁部３４に連結したため、リブ３５により壁部３４を補強することができる。更に、切欠部３２の底面における内側角部にも面取り部３２ａが形成されている。
【００３５】
切欠部３２の底面に、このようなリブ３５を形成したため、図１０に示すように、スプリング板３０の下端とリング部２５との接触面積が小さくなり、スプリング板３０を反転状態から元の状態に戻す際の引っ掛かりが防止される。スプリング板３０が反転状態から戻る際、その中央部よりも両端部の方が、移動する距離が短い分、戻る力は、大きい。従って、この実施形態のように、スプリング板３０の両端部に対応する部分にリブ３５を形成することにより、戻る際のスプリング板３０は、確実にリブ３５の上に乗り上げ、引っ掛かりが防止される。しかも、リブ３５の内側角部に面取り部３５ａが形成されているため、スプリング板３０を戻す際の引っ掛かりが更に確実に防止される。加えて、切欠部３２の底面における内側角部にも面取り部３２ａが形成されているため、戻る際のスプリング板３０の中央部が下側に撓んでも、リング部２５の底面における内側角部に引っ掛かることは、ない。
【００３６】
また、反転状態にした一方のスプリング板３０は、リング部２５を重合状態にする際に、他方のリング部２５の重合部２８により外側へ押されて湾曲状態に戻るようになっている。しかも、他方のリング部２５の重合部２８が、スプリング板３０の中心Ｓからオフセットした点Ｐを押すようになっている。
【００３７】
反転状態のスプリング板３０が、他方のリング部２５に押されて自動的に元の状態に戻るため、わざわざスプリング板３０を手で戻す必要がなく便利である。また、他方のリング部２５の重合部２８が、スプリング板３０の中心Ｓからオフセットした点Ｐを押すようになっているため、反転状態のスプリング板３０は、一度に勢い良く元の状態に戻るのではなく、中心Ｓからオフセットした点Ｐを押されることにより、徐々にＳ字形に変形しながら元の状態に戻る（図９参照）。従って、他方のリング部２５により押す力も小さくて済み、スプリング板３０が元に戻る際の発生音も小さくなる。なお、この様な機能を持たせるために、リング部２５を互いに重合状態とした際、一方のリング部２５の重合部２８が、他方のリング部２５の反転状態となったスプリング板３０に当接する高さに重合部２８が形成されている。
【００３８】
そして、最初に述べたように、ケース１の上面部３における凸部７よりも前側領域９をだけ一段低く形成したため（図７参照）、ケース１の上方に隣接して設置される装備品（例えば、コンソールボックの内部ボックス３６）のためのスペースを大きく確保することができる。また、このようにケース１の上面部３における前側領域９を下げても、上面部３にロック爪１８との干渉を回避するための切除部１０が形成されているため、ケース１内におけるトレイ１２の円滑な移動性能は、保たれる。更に、ケース１の下面部４を前側へ向けて漸次上向きに傾斜させたため、ケース１の下方に隣接して設置される装備品（例えば、パーキングブレーキケーブル３７）のためのスペースも大きく確保することができる。
【図面の簡単な説明】
【図１】この発明の一実施形態に係るケースとトレイとを別々に示した平面図。
【図２】図１のトレイ及びホルダを示す斜視図。
【図３】図１のトレイをケース内に格納した状態を示す平面図。
【図４】図３の底面図。
【図５】図１のケースからトレイを引き出した状態を示す平面図。
【図６】図５中矢示ＳＡ−ＳＡ線に沿う断面図。
【図７】トレイを格納した状態を示す図６相当の断面図。
【図８】図２のリング部の切欠部周辺構造を示す拡大斜視図。
【図９】図８のリング部の切欠部周辺構造を示す拡大平面図。
【図１０】図８中矢示ＳＢ−ＳＢ線に沿う断面図。
【符号の説明】
１  ケース
２  開口
３  上面部
４  下面部
７  凸部
７ａ、７ｂ  傾斜面
８  ロック孔
９  前側領域
１０  切除部
１１  弾性爪（被係合部）
１２  トレイ
１７  ベース
１８  ロック爪
１９  突片（係合部）
２１  スプリング（付勢手段）
２３  ホルダ
２４  アーム
２５  リング部
２７  スプリング（付勢手段）
２８  重合部
２９  一般部
３０  スプリング板
３１  ピン
３２  切欠部
３２ａ  面取り部
３３  孔
３４  壁部
３５  リブ
Ａ  前側（格納方向）
Ｂ  後側（引出方向）
Ｃ１  太い容器
Ｃ２  細い容器
ｄ  段差
ｅ  微小高さ
ｈ、Ｈ  上下寸法
Ｐ  オフセットした点
Ｓ  中心
【図１】
0003646542.tif 000002
【図２】
0003646542.tif 000003
【図３】
0003646542.tif 000004
【図４】
0003646542.tif 000005
【図５】
0003646542.tif 000006
【図６】
0003646542.tif 000007
【図７】
0003646542.tif 000008
【図８】
0003646542.tif 000009
【図９】
0003646542.tif 000010
【図１０】
0003646542.tif 000011